(57)【要約】【課題】可搬型記録媒体からのデータ読み取りの際の操作を低減し、より簡単に可搬型記録媒体内に記録されたデータを利用可能とした携帯電話装置の提供を目的とする。【解決手段】可搬型記録媒体としてのメモリーカードがメモリーカードドライブ手段１１に装着されたことを検出するメモリーカード検出手段１２を備え、制御部１８は、メモリーカード検出手段１２によりメモリーカードの装着が検出された際にこのメモリーカードのデータを利用する複数の機能のうち１つをキー入力部４によって選択させるためのメニューを表示部３へ表示する。【選択図】図２
2010152908.tif 000002
【特許請求の範囲】
【請求項１】
表示部、入力部および制御部を備える携帯電話装置において、
可搬型記録媒体が当該携帯電話装置に装着されたことを検出する記録媒体検出手段を備え、
前記制御部は、前記記録媒体検出手段により前記可搬型記録媒体の装着が検出された場合に、前記表示部に、カーソルを動かすことで選択可能な複数の機能を一括表示した選択メニューを表示させ、前記複数の機能のうちの１つの機能であって、前記選択メニューのうち一番上の機能にカーソルを配置することを特徴とする携帯電話装置。
【請求項２】
前記制御部は、前記表示部が前記選択メニューを表示している間に、前記入力部から所定入力があった場合、前記表示部に待機状態の画面を表示させることを特徴とする請求項１記載の携帯電話装置。
【請求項３】
前記制御部は、前記表示部が前記選択メニューを表示している間に、前記入力部から所定入力があった場合、前記選択メニューを表示する直前の画面を表示させることを特徴とする請求項１記載の携帯電話装置。
【請求項４】
さらに、前記可搬型記録媒体内のデータの種類ごとに１以上の機能を関連付けて記憶する記憶部を備え、
前記制御部は、前記記録媒体検出手段により前記可搬型記録媒体の装着が検出された場合に、かつ前記可搬型記録媒体から読み出したデータの種類に対応する機能が前記記憶部に記憶されている場合は、前記読み出したデータの種類に対応する機能を前記表示部に表示させることを特徴とする請求項１ないし３いずれかに記載の携帯電話装置。
【請求項５】
前記制御部は、前記表示部に表示された機能にカーソルを配置することを特徴とする請求項４記載の携帯電話装置。
【請求項６】
前記記憶部は、前記１以上の機能を選択可能な表示メニューを記憶しており、
前記制御部は、前記可搬型記録媒体から読み出したデータの種類に対応する機能を含む表示メニューが前記記憶部に記憶されている場合に、前記読み出したデータの種類に対応する機能を含む表示メニューを前記表示部に表示させることを特徴とする請求項４または５記載の携帯電話装置。
【請求項７】
さらに、当該携帯電話装置の動作状態を検出する手段を備え、
前記制御部は、前記検出した動作状態が所定の状態であると判断した場合に、前記選択メニューと前記表示メニューのいずれかを前記表示部に表示させることを特徴とする請求項６記載の携帯電話装置。
【請求項８】
前記制御部は、前記可搬型記録媒体から読み出したデータの記録日時に基づいて、前記表示部に表示する表示メニューを決定することを特徴とする請求項６または７記載の携帯電話装置。
【請求項９】
さらに、日時を計測する計時手段を備え、
前記制御部は、前記可搬型記録媒体から読み出したデータの記録日時が前記計時手段により計測した日時から所定の時間範囲内にあるデータの種類に対応する機能を含む表示メニューを前記表示部に表示させることを特徴とする請求項６ないし８いずれかに記載の携帯電話装置。
【発明の詳細な説明】
【技術分野】
【０００１】
本発明は、着脱可能なメモリーカード等の可搬型記録媒体に記録された各種データを読み取って利用することが可能な携帯電話装置に関する。
【背景技術】
【０００２】
携帯電話装置の高機能化によって、メモリーカードに記録された画像データや音楽データを携帯電話装置上に読み取り、この携帯電話装置上で画像表示あるいは音楽再生を可能としたものが開発されている。従来、このメモリーカードからのデータ読み取りの際、携帯電話装置にメモリーカードを装着して、まず携帯電話装置をメモリーカードからのデータ読み取りモードに遷移させる必要がある。
【０００３】
このデータ読み取りモードへ遷移は、携帯電話装置に備える入力キーを操作して所定の機能メニューを画面上に表示させ、さらに入力キーを操作してこの機能メニュー内からデータ読み取りモードを選択することにより行う。例えば、メモリーカードからメロディデータを取り出して、それを着信報知用のメロディとして登録しようとする場合、複数の機能メニュー（目覚まし設定、保留音設定、着信音登録、壁紙設定など）の中から矢印キーなどで機能メニュー画面を切り替えながら“着信音登録“の機能メニューを探し出して、この着信音登録機能を選択する。着信音登録機能の選択が行われると、“ベル音”、“メロディ”、“録音メロディ”などから着信音を選択可能な画面表示となり、例えば“メロディ”を選択後、メモリーカードからメロディデータを登録する。すなわち、携帯電話装置の利用者は、メモリーカードを携帯電話装置へ装着した後、入力キーを何度も操作してようやくメモリーカード内のデータを読み出すことが可能となる。特に、機能メニューが数十にも及ぶ場合、その機能メニューの画面を表示させようとすると、相当な数のキー入力が必要となる場合もある。
【０００４】
近年、携帯電話装置は小型化が進み、入力キーも可能な限り小さくなっているため、上記のような入力キーの操作は非常に煩わしいものである。また、データ読み取りモードを選択するまでの間、携帯電話装置の小さな画面上の表示を見続ける必要があり、目の疲労も否めない。
【０００５】
このような入力キーの操作を簡単にするものとして特開２０００−１０７０２号公報には、携帯電話装置のＬＣＤの画面を縦横数列ずつに分割して複数の分割画面を形成し、この各分割画面にそれぞれ携帯電話装置の機能メニューを表示し、画面をスクロールキーの操作によって上下および左右の方向にスクロールさせて、所望のメニューが表示された分割画面を画面の中央位置に位置させてメニューの選択を行い、その後、決定キーの操作によってメニューを実行させる方法が開示されている。
【先行技術文献】
【特許文献】
【０００６】
【特許文献１】特開２０００−１０７０２号公報
【発明の概要】
【発明が解決しようとする課題】
【０００７】
しかしながら、このような方法をとっても選択可能なメニューが数十にも及ぶ場合には、階層構造をたどって、所望のメニューを選択しなければならない。
【０００８】
そこで、本発明は、メモリーカード等の可搬型記録媒体からのデータ読み取りの際の操作を低減し、より簡単に可搬型記録媒体内に記録されたデータを利用可能とした携帯電話装置を提供することを目的とする。
【課題を解決するための手段】
【０００９】
上記課題を解決するため本発明は、表示部、入力部および制御部を備える携帯電話装置において、可搬型記録媒体が当該携帯電話装置に装着されたことを検出する記録媒体検出手段を備え、制御部は、記録媒体検出手段により可搬型記録媒体の装着が検出された場合に、表示部に、カーソルを動かすことで選択可能な複数の機能を一括表示した選択メニューを表示させ、複数の機能のうちの１つの機能であって、選択メニューのうち一番上の機能にカーソルを配置するように構成したものである。
【発明の効果】
【００１０】
本発明によれば、可搬型記録媒体を携帯電話装置に装着した際に自動的に可搬型記録媒体を利用するための機能メニューを選択するために複数の機能メニュー名を表示したメニューが表示され、可搬型記録媒体からのデータ読み取りの際の操作が低減され、より簡単に可搬型記録媒体内に記録されたデータを利用することが可能となる。
【図面の簡単な説明】
【００１１】
【図１】本発明の実施の形態１における携帯電話装置の外観図
【図２】図１の携帯電話装置の機能ブロック図
【図３】メモリ手段に記憶するメニューデータの内容を示す図
【図４】図１の携帯電話装置の動作を示すフローチャート
【図５】メモリーカード内のファイルの表示例を示す図
【図６】本発明の第２実施の形態における携帯電話装置の動作を示すフローチャート
【図７】メモリ手段に記憶するデータの種類に関連する機能の内容を示す図
【発明を実施するための形態】
【００１２】
本願第１の発明は、可搬型記録媒体を着脱して同可搬型記録媒体内のデータを読み取る読取部、表示部、入力部および制御部を備える携帯電話装置において、可搬型記録媒体が前記読取部に装着されたことを検出する記録媒体検出手段を備え、前記制御部は、前記記録媒体検出手段により可搬型記録媒体の装着が検出された際に、この可搬型記録媒体のデータを利用する複数の機能のうち１つを前記入力部によって選択させるためのメニューを前記表示部へ表示するものとしたことを特徴とする携帯電話装置であり、可搬型記録媒体を装着した際、自動的に可搬型記録媒体を利用するためのメニューが表示され、このメニューから可搬型記録媒体内の利用するデータを選択することが可能となる。
【００１３】
本願第２に記載の発明は、可搬型記録媒体から読み出したデータの種類に対応する前記メニューを記憶する記憶部を備え、前記制御部は、前記読取部により可搬型記録媒体から読み出したデータと対応するメニューが前記記憶部に記憶されている場合に前記記憶部から該当するメニューを読み出して前記表示部へ表示するものとしたことを特徴とする携帯電話装置であり、可搬型記録媒体を装着した際、自動的に可搬型記録媒体に記録されているデータの種類に応じたメニューが表示され、このメニューから可搬型記録媒体内の利用するデータを容易に選択することが可能となる。
【００１４】
本願第３の発明は、前記データの種類ごとに１以上の機能を関連付けて記憶する記憶部を備え、前記制御部は、前記読取部により可搬型記録媒体から読み出したデータの種類に関連する機能が前記記憶部に記憶されている場合に前記表示部に表示するメニューのうち当該関連する機能を選択する表示部分に前記入力部により選択する選択用のカーソルを配置するものとしたことを特徴とする携帯電話装置であり、可搬型記録媒体を装着した際に表示されるメニューの中でこの可搬型記録媒体に記憶されているデータの種類と関連する機能の表示部分にカーソルが自動的に配置され、入力部により容易に選択することが可能となる。
【００１５】
本願第４の発明は、装置自身の動作状態を検出する手段を備え、前記制御部は、前記検出した動作状態が所定の状態であると判断した場合にのみ前記メニューを前記表示部へ表示するものとしたことを特徴とする携帯電話装置であり、可搬型記録媒体を装着した際の携帯電話装置自身の動作状態に応じて自動的にメニューを表示させたり、あるいは表示させないようにして利用者の利便性を高めることができる。
【００１６】
本願第５の発明は、前記制御部は、前記読取部により可搬型記録媒体から読み出したデータの記録日時に基づいて前記表示部に表示するメニューを決定するものとしたことを特徴とする携帯電話装置であり、可搬型記録媒体を装着した際に自動的に表示させるメニューをデータの記録日時に基づいて表示することで、データの選択をさらに容易に行うことが可能となる。
【００１７】
本願第６の発明は、日時を計測する計時手段を備え、前記制御部は、前記読取部により可搬型記録媒体から読み出したデータの記録日時が前記計時手段により計測した日時から所定の時間範囲内にあるデータについてのみ前記メニューを前記表示部へ表示するものとしたことを特徴とする携帯電話装置であり、可搬型記録媒体を装着した際に自動的に表示させるメニューを所定の時間範囲内にある新しいデータについてのみ表示することで、データの選択をさらに容易に行うことが可能となる。
【００１８】
以下、本発明の実施の形態について、図面を用いて説明する。
【００１９】
（実施の形態１）
図１は本発明の実施の形態における携帯電話装置の外観図、図２は図１の携帯電話装置の機能ブロック図である。
【００２０】
図１および図２に示すように、本実施の形態における携帯電話装置は、その本体１の側面に可搬型記録媒体としてのメモリーカードＣを着脱可能なスロット２を備え、このスロット２内には、メモリーカードＣ内のデータを読み取る読取部としてのメモリーカードドライブ手段１１と、メモリーカードＣがメモリーカードドライブ手段１１に装着されたことを検出するメモリーカード検出手段１２とを備える。本体１の正面には、公知の携帯電話装置と同様の表示部３およびキー入力部４を備える。なお、メモリーカードとは、通常ＳＤ（Ｓｅｃｕｒｅ  Ｄｉｇｉｔａｌ）メモリーカードのようなカード形式の記録媒体であるが、本発明に係る可搬型記録媒体はＣＤ−ＲＯＭなどの可搬型の記録媒体であればよい。
【００２１】
また、携帯電話装置は、公知の携帯電話装置と同様、基地局（図示せず）と無線通信を行うためのアンテナ部５および無線送受信部１３を備え、アンテナ部５および無線送受信部１３によって受信した音声データを音声回路部１４によって音声へ変換してスピーカ部６より出力するとともに、マイク部７により入力した音声を音声回路部１４によって音声データへと変換して無線送受信部１３およびアンテナ部５より送信する。
【００２２】
また、携帯電話装置は、装置自身の動作状態を検出する動作状態検出手段１５、日時を計測する計時手段１６、メモリーカードＣから読み出したデータや表示部３に表示するメニューデータを記憶するメモリ手段１７、および、これらの各部・各手段を制御する制御部１８を備える。
【００２３】
制御部１８は、メモリーカード検出手段１２によりメモリーカードＣの装着が検出された際にこのメモリーカードＣのデータを利用する複数の機能（例えば、データの種類が画像形式である場合、この画像形式のデータを利用する壁紙設定や画像登録などの各種機能）のうち１つをキー入力部４によって選択させるためのメニュー（例えば、図１に示すようにキー入力部４のカーソルキー４ａを用いてカーソルを動かすことで選択可能な複数の機能を一括表示した選択メニュー３ａ）を表示部３へ表示する。このとき、制御部１８は、メモリーカードドライブ手段１１によりメモリーカードＣから読み出したデータの種類と対応するメニューがメモリ手段１７に記憶されている場合にこのメモリ手段１７から該当するメニューを読み出して表示部３へ表示する。なお、データの種類と対応するメニューがメモリ手段１７に記憶されていない場合にはメモリ手段１７から所定のメニューを読み出して表示部３へ表示する。
【００２４】
図３はメモリ手段１７に予め記憶されているメニューデータ１７ａの内容を示している。図３に示すように、メモリーカードＣに記録されているデータの種類を示すファイル名（拡張子）に応じて利用可能な機能１〜５がメニューデータ１７ａとしてメモリ手段１７に記憶されている。例えば、ファイル名の拡張子が、そのデータがＪＰＥＧ形式のファイル（画像データ）であることを表す“Ｊｐｇ”を含む場合、このデータを利用可能な機能１〜３としてそれぞれ壁紙設定、画像登録、ＤＸメールがメニューとして割り当てられている。すなわち、メモリーカードＣに記録されているデータがＪＰＥＧ形式のファイル（拡張子“Ｊｐｇ”）である場合、制御部１８によって表示部３へ表示されるメニューは、この“Ｊｐｇ”に対応するメニューデータ１７ａの機能１〜３である。
【００２５】
なお、メモリーカードＣ内に複数種類のデータが存在する場合、データの記憶日時順に日時が若い順から並べて表示部３へ表示するデータを作成する。例えば、ＪＰＥＧ形式のファイルとＭＩＤＩ形式のファイル（拡張子“Ｍｉｄｉ”）の２つがメモリーカードＣ上に存在している状態において、ＪＰＥＧ形式のファイルの方が記録日時が若い場合、ＪＰＥＧ形式のファイルのメニューデータ１７ａ（機能１〜３；壁紙設定，画像登録，ＤＸメール送信）を機能１〜３に配置し、ＭＩＤＩ形式のファイルのメニューデータ１７ａであってＪＰＥＧ形式のファイルのメニューデータ１７ａにはない機能（着信音登録，メロディ登録）を機能４〜５に配置したメニューデータを作成する。逆に、ＭＩＤＩ形式のファイルの方が記録日時が若い場合、ＭＩＤＩ形式のファイルのメニューデータ１７ａを優先する（機能１〜５；着信音登録，メロディ登録，ＤＸメール送信，壁紙設定，画像登録の順）。
【００２６】
上記構成の携帯電話装置の動作について、以下、図４のフローチャートに基づいて説明する。
【００２７】
ステップＳ１０１では、メモリーカード検出手段１２によってメモリーカードＣがメモリーカードドライブ手段１１に装着されているかどうかを判断する。ここで、メモリーカードＣがメモリーカードドライブ手段１１に装着された場合、ステップＳ１０２において、動作状態検出手段１５によって携帯電話装置が所定の動作状態（例えば、待機状態）かどうかを判断し、所定の動作状態でない場合（例えば、通話状態や着信状態である場合）にはそのまま終了する。一方、所定の動作状態のとき、ステップＳ１０３において、メモリーカードＣからデータを読み込む。
【００２８】
ステップＳ１０４では、読み込んだデータの種類に対応する各機能を表すメニューデータ１７ａが図３に示すようにメモリ手段１７に予め登録されているかどうか判断する。登録されていない（図３の“登録無し”に該当する）場合、ステップＳ１０５において、所定の（“登録無し”に対応する）メニューデータ１７ａに基づく選択メニュー（表示データ）３ａを表示部３に表示する。一方、登録されている場合、ステップＳ１０６において、メモリーカードＣ内に複数種類の形式のファイルがあるかどうか（拡張子の異なるファイルが少なくともそれぞれ１つ以上存在するかどうか）を判断する。複数種類の形式のファイルがある場合、ステップＳ１０７において、データの記憶日時順に日付が若い順から並べて選択メニュー３ａを作成する。ステップＳ１０８では、作成した選択メニュー３ａを表示部３に表示する。一方、メモリーカードＣ内に複数種類の形式のファイルがない場合、ステップＳ１０９において、読み込みデータに対応する選択メニュー３ａを表示部３に表示する。ステップＳ１１０では、切るキー（所定のキー）の入力があった場合、元の画面に戻る。この場合の元の画面とは、待機状態の画面（電話装置の電源立ち上げ時に表示される通常画面）ではなく、選択メニュー３ａの表示データを表示部３に表示する直前の画面であるが、設定等により待機状態の画面に戻るようにしてもよい。
【００２９】
次に、選択メニューから所望の機能を選択した場合の表示部３の表示について図１および図５を参照して説明する。図１のように選択メニュー３ａが表示されている状態で、選択メニュー３ａに表示されている機能のうち１つを選択して機能を実行した場合（ここでは、“着信音登録”を選択）、計時手段１６により現在日時と機能に関連するファイルの記録日時とを演算し、登録できるファイル（ここでは、“着信音登録”が可能なファイル）が、近い時間に記録された順番で図５のように表示部３に表示される。なお、実行すべき機能として既に“着信音登録”を選択している状態でメモリーカードＣを装着した場合には、選択メニュー３ａを表示することなく、登録できるファイルが図５のように表示部３に直接表示されるようにしても構わない。これにより、さらにキー入力部４による入力操作を減らすことが可能となる。
【００３０】
また、本実施の形態では、携帯電話装置が所定の動作状態（前述のステップＳ１０２）のときは、必ず選択メニュー３ａを表示させる例を説明したが、前述のステップＳ１０３で読み込んだデータの記録日時が所定時間以内（例えば、１時間以内）の場合にのみ、ステップＳ１０４以降のステップを進めるようにし、所定時間外の場合、それ以降の処理はせずに一連の動作を終了するようにしてもよい。
【００３１】
さらに、データの形式に基づいて対応する選択メニュー３ａを表示する構成としたが、メモリーカードＣ内のディレクトリ名に基づいて対応する選択メニューを表示させるようにしてもよい。これにより、利用者がメモリーカードＣ内にディレクトリを作成したときに限り、選択メニュー３ａを表示部３に表示させることが可能となる。
【００３２】
このように本実施の形態における携帯電話装置によれば、メモリーカードＣをスロット２に挿入してメモリーカードドライブ手段１１に装着した際に自動的にメモリーカードＣを利用するためのメニューが表示されるため、メモリーカードＣからのデータ読み取りの際の操作が低減され、利用者はメモリーカードＣを携帯電話装置へ装着した後、キー入力部４を何度も操作することなく、より簡単にメモリーカードＣ内に記録されたデータを利用することが可能となる。
【００３３】
また、メモリーカードＣを装着した際に自動的に表示されるメニューは、メモリーカードＣに記録されているデータの種類に応じたメモリ手段１７に予め登録されているメニューデータ１７ａに基づくものであるため、利用者はこのメニューからメモリーカードＣ内の利用するデータを容易に選択することが可能となり、メモリーカードＣ内のデータの種類に応じて利用者が何度もキー入力部４を操作する必要がない。
【００３４】
また、本実施の形態における携帯電話装置では、前述のステップＳ１０２のように、装置自身の動作状態が所定の状態であるかどうかを動作状態検出手段１５によって検出し、この検出した動作状態が所定の状態であると判断した場合にのみメニューを表示部３へ表示するため、例えば、メモリーカードＣをスロット２に挿入する直前に着信があった場合には、メモリーカードＣの挿入によるメニュー表示を行わないことで、着信時の操作を妨げるのを防止することができる。
【００３５】
また、本実施の形態における携帯電話装置には、計時手段１６を備えているため、制御部１８はメモリーカードドライブ手段１１によりメモリーカードＣから読み出したデータの記録日時が計時手段１６により計測した日時から所定の時間範囲内にあるデータについてのみメニューを表示部３へ表示するものとすることで、メモリーカードＣへ新しく記録したデータに対応するメニューを表示してそのデータを利用可能とすることができる。使用頻度が高いデータは新しくメモリーカードＣへ記録したデータであり、このデータをより簡単に利用可能とするためにメニューを限定的に表示することでデータの選択をさらに容易に行うことが可能となる。
【００３６】
（実施の形態２）
第１実施の形態では、メモリーカードＣが装着されたときにメモリーカードＣ内に記憶されているデータの種類に応じて表示部３に表示する選択メニュー３ａの中から利用者が所望の機能を選択する動作について説明したが、実施の形態２では、データ種類に応じて選択メニューを変更することはせずに、所定の選択メニューのうち参照したデータ種類に対応する機能表示の個所を強調・点滅したり、カーソルを移動する動作について説明する。
【００３７】
以下、第２実施の形態における携帯電話装置の動作について、図６のフローチャートに基づき説明する。なお、第２実施の形態における携帯電話装置の主な構成については図１および図２と同様であるので、ここでの詳細な説明は省略する。
【００３８】
図６において、ステップＳ２０１では、メモリーカード検出手段１２によってメモリーカードＣがメモリーカードドライブ手段１１に装着されているかどうかを判断する。メモリーカードＣがメモリーカードドライブ手段１１に装着された場合、ステップＳ２０２において、動作状態検出手段１５によって携帯電話装置が所定の動作状態（例えば、待機状態）かどうかを判断し、所定の動作状態でない場合（例えば、通話状態や着信状態である場合）にはそのまま終了する。一方、所定の動作状態のとき、ステップＳ２０３において、メモリーカードＣからデータを読み込む。
【００３９】
ステップＳ２０４では、読み込んだデータの種類に対応する各機能を表すメニューデータ１７ａが図３に示すようにメモリ手段１７に予め登録されているかどうか判断する。登録されていない場合、ステップＳ２０５において、所定の選択メニュー３ａを表示部３に表示（図１参照）し、この所定の選択メニュー３ａのうち一番上に表示する部分（本実施の形態の例では、“壁紙設定”の個所）に機能選択用のカーソルを表示させる。一方、登録されている場合、ステップＳ２０６において、メモリーカードＣ内に記憶されているデータのうち最新の記録日時のデータの種類に対応する機能をメモリ手段１７（図７参照）を参照して選択する。図７に示すようにメモリ手段１７にはデータの種類ごとに１以上の機能を関連付けて記憶してあり、メモリーカードＣから読み出したデータの種類に対応する機能がメモリ手段１７に記憶されている場合には、所定の表示メニューのうち表示部３の上の方に表示する部分の機能を選択候補とする。例えば、データの種類が“Ｍｉｄｉ“形式であれば、”メロディ登録“ではなく”着信音登録“を選択候補とする。そして所定の選択メニュー３ａを表示部３に表示し、上述の機能の選択候補の表示部分に機能選択用のカーソルを配置する（例えば、図１に示すように、“着信音登録”の部分にカーソルが表示されている）。ステップＳ２０７では、切るキー（所定のキー）の入力があった場合、元の画面に戻る。この場合の元の画面とは、待機状態の画面（電話装置の電源立ち上げ時に表示される通常画面）ではなく、選択メニュー３ａの表示データを表示部３に表示する直前の画面であるが、設定等により待機状態の画面に戻るようにしてもよい。なお、第１実施の形態において説明した動作と組み合わせて動作させることで、より機能選択を容易にすることも可能である。
【００４０】
このように本実施の形態における携帯電話装置によれば、メモリーカードＣを装着した際に自動的に表示される選択メニュー３ａにおけるカーソル表示部分は、メモリーカードＣに記録されているデータの種類に応じて配置されるため、利用者はこのメニューからメモリーカードＣ内の利用するデータを容易に選択することが可能となり、メモリーカードＣ内のデータの種類に応じて利用者が何度もキー入力部４を操作する必要がなくなる。
【００４１】
本発明により、以下の効果を奏することができる。
【００４２】
（１）本願第１の発明により、可搬型記録媒体を携帯電話装置に装着した際に自動的に可搬型記録媒体を利用するためのメニューが表示されるため、可搬型記録媒体からのデータ読み取りの際の操作が低減され、利用者は可搬型記録媒体を携帯電話装置へ装着した後、入力キーを何度も操作することなく、より簡単に可搬型記録媒体内に記録されたデータを利用することが可能となる。
【００４３】
（２）本願第２の発明により、可搬型記録媒体を装着した際、自動的に可搬型記録媒体に記録されているデータの種類に応じたメニューが表示されるため、利用者は何度も入力キーを操作することなく、このメニューから可搬型記録媒体内の利用するデータを容易に選択することが可能となる。
【００４４】
（３）本願第３の発明により、可搬型記録媒体を装着した際に表示されるメニューの中でデータの種類に応じた機能の表示部分にカーソルが自動的に配置され、利用者は容易に機能を選択することが可能となる。
【００４５】
（４）本願第４の発明により、可搬型記録媒体を装着した際の携帯電話装置自身の動作状態に応じて自動的にメニューを表示させたり、あるいは表示させないようにすることで利用者の利便性を高めた携帯電話装置が得られる。
【００４６】
（５）本願第５の発明により、可搬型記録媒体を装着した際に自動的に表示させるメニューをデータの記録日時に基づいて表示することで、データの選択をさらに容易に行うことが可能となる。
【００４７】
（６）本願第６の発明により、可搬型記録媒体を装着した際に自動的に表示させるメニューを所定の時間範囲内にある新しいデータについてのみ表示することで、データの選択をさらに容易に行うことが可能となる。
【産業上の利用可能性】
【００４８】
可搬型記録媒体を携帯電話装置に装着した際に自動的に可搬型記録媒体を利用するための機能メニューを選択するために複数の機能メニュー名を表示したメニューが表示され、可搬型記録媒体からのデータ読み取りの際の操作が低減され、より簡単に可搬型記録媒体内に記録されたデータを利用することが可能となる。
【符号の説明】
【００４９】
１    本体
２    スロット
３    表示部
３ａ    選択メニュー
４    キー入力部
４ａ    カーソルキー
５    アンテナ部
６    スピーカ部
７    マイク部
１１    メモリーカードドライブ手段
１２    メモリーカード検出手段
１３    無線送受信部
１４    音声回路部
１５    動作状態検出手段
１６    計時手段
１７    メモリ手段
１８    制御部
Ｃ    メモリーカード
【図１】
2010152908.tif 000003
【図２】
2010152908.tif 000004
【図３】
2010152908.tif 000005
【図４】
2010152908.tif 000006
【図５】
2010152908.tif 000007
【図６】
2010152908.tif 000008
【図７】
2010152908.tif 000009